(57)【要約】【課題】加湿装置においてフィルタに付着したスケール除去の作業性の向上を目的とする。【解決手段】略円筒形の加湿フィルタ２４と、加湿フィルタを回動する駆動手段３７と、加湿フィルタ２４に給水させる水を貯水する貯水部２７と、加湿フィルタ２４と接触する接触部材２７とを含み、駆動手段３７で加湿フィルタ２４を回動することにより、加湿フィルタ２４の少なくとも一部の表面と接触部材２７が水中で摺接することにより、駆動手段を運転することにより、加湿フィルタ２４の表面に付着したスケールや水垢などの固形物を貯水部中に剥落させることができ、加湿フィルタ２４の吸水および加湿性能を長期間維持することができる。しかも固形物の剥落は水中で行われるため、剥落したスケール等は貯水部の底部が沈殿、堆積され、剥落した固形物の空中への飛散および加湿フィルタに再付着することがない。【選択図】図２
2012013347.tif 000002
【特許請求の範囲】
【請求項１】
本体表面に開口された吸気口と吹出口とを連通する風路と、
前記風路の途中に配置され空気を送風する送風機と、
前記送風機で送風された空気を加熱するヒータと、
前記ヒータで加熱された温風を加湿する略円筒形の加湿フィルタと、
前記加湿フィルタを回動する回動手段と、
前記加湿フィルタに給水させる水を貯水する貯水部と、
前記貯水部に設置し、前記加湿フィルタと接触する接触部材と、を含み、
前記加湿フィルタの一部が前記貯水部に貯水した水中に水没し、前記加湿フィルタ全体に給水される構成とし、
前記回動手段で前記加湿フィルタを回動することにより、前記加湿フィルタの少なくとも一部の表面と前記接触部材が水中で摺接することを特徴とする、
加湿装置。
【請求項２】
前記貯水部の水位を検知する水位センサと、
表示手段と、を備え、
前記水位センサが所定の水位を検知できない場合、前記表示手段で表示することを特徴とする、
請求項１に記載の加湿装置。
【請求項３】
前記水位センサで所定の水位を検知できない場合、前記回動手段の運転を開始しないことを特徴とする、
請求項１または２に記載の加湿装置。
【請求項４】
前記貯水部の底部に前記接触部材に沿って凹陥部を設けた、
請求項１〜３のいずれか１項に記載の加湿装置。
【請求項５】
前記接触部材は前記貯水部の底部に立設し、前記接触部材の基部に開口を設けた、
請求項１から４のいずれか１項に記載の加湿装置。
【請求項６】
請求項１〜５のいずれか１項に記載の加湿装置と、
前記風路のヒータの下流側で分岐し、前記加湿フィルタを通過させずに吹出口に直接連通する温風風路と、
前記温風風路の分岐点に、前記加湿フィルタ側および前記温風風路側のいずれか一方または両方に温風を選択的に送風するダンパと、
前記ダンパの操作を行う操作手段を備え、
前記、ダンパの操作により、温風と加湿温風と加湿空気の吹き出しが選択可能な、
温風機。
【発明の詳細な説明】
【技術分野】
【０００１】
本発明は、気化式の加湿装置に関する。
【背景技術】
【０００２】
従来、この種の加湿装置は、本体内部に備えた送風ファンで送風した空気を加熱手段で加熱し、加熱された温風を給水した気化フィルタへ吹き付けて加湿温風とする構成である。このような構成の場合、気化フィルタの表面では水分のみが蒸発し、水に含まれるカルキや石灰質等のスケールが気化フィルタの表面に固着し、継続使用すると気化フィルタの目詰まりが発生して加湿性能が低下する。そのため、気化フィルタの表面に固着したスケールを取り除くために、使用中は常に気化フィルタを可動させるとともに、気化フィルタの表面に接触する清掃部材を設置し、気化フィルタが可動することによりスケールを掻き落とすようにしている。（例えば、特許文献１参照）
図７は、特許文献１に記載された従来の加湿装置の横断面図を示すものである。図７に示すように、本体１の側面には吸引口２が、前面には吹出口３が設置されている。本体１の内部には送風ファン４と、加熱手段５と、気化フィルタ６と、清掃部材７と、水タンク８が設置されている。気化フィルタ６は円盤状で回動軸６ａを中心として駆動手段（図示せず）により、加湿装置の運転中は常時回動を継続する。清掃部材７は円筒状であり、その周囲にはブラシ部材７ａが備えられており、気化フィルタ６の表面に密接するように配設されている。気清掃部材７はギア９を介して気化フィルタ６の回動にともなって回転することにより、気化フィルタ６の表面に付着したスケールを掻き落とす構成となっている。
【先行技術文献】
【特許文献】
【０００３】
【特許文献１】特開２００９−２１６２７３号公報
【発明の概要】
【発明が解決しようとする課題】
【０００４】
しかし、前記従来の構成では、加湿装置の運転中は気化フィルタと清掃部材は空気中で常時接触させて摩擦力を発生させている状態を継続させており、摩擦力により気化フィルタと清掃部材双方の摩耗や劣化が促進されるとともに、気化フィルタと清掃部材を空気中で継続して接触させることにより、気化フィルタの表面から掻き落としたスケールが再び気化フィルタの内部に押し込められることにより気化フィルタの目詰まりを促進する要素が含まれることが推察される。
【０００５】
しかも掻き落としの作業が空中で行われるため掻き落としたスケールが空中に飛散することが懸念される。また、気化フィルタと清掃部材を常時駆動するために余分な電気エネルギーを消費するとともに不快な駆動音が常時発生することが推察され、耐久性、使い勝手、省エネルギー性という観点から未だ改良の余地があった。
【０００６】
本発明は、上記従来技術の有する課題に鑑みてなされたものであり、気化フィルタの高寿命化を図って、加湿性能のよい状態で長期にわたって使用できるとともに、使用中の不快な駆動音を低減するとともに、省エネルギーの高い加湿装置を提供することを目的とする。
【課題を解決するための手段】
【０００７】
前記従来の課題を解決するために、本発明の加湿装置は、本体表面に開口された吸気口
と吹出口とを連通する風路と、風路の途中に配置され空気を送風する送風機と、送風機で送風された空気を加熱するヒータと、ヒータで加熱された温風を加湿する略円筒形の加湿フィルタと、加湿フィルタを回動する回動手段と、加湿フィルタに給水させる水を貯水する貯水部と、貯水部に設置し、加湿フィルタと接触する接触部材とを含み、加湿フィルタの一部が前記貯水部に貯水した水中に水没し、加湿フィルタ全体に給水される構成とし、回動手段で前記加湿フィルタを回動することにより、加湿フィルタの少なくとも一部の表面と接触部材が水中で摺接する加湿装置である。
【０００８】
これよって、回動手段を運転することにより接触部材が加湿フィルタ表面をこするように動作することで、加湿フィルタの表面に付着したスケールや水垢などの固形物を貯水部中に剥落させることができ、加湿フィルタの吸水および加湿性能を長期間維持することができる。しかも使用者は直接フィルタに触れることなく加湿フィルタのメンテナンスができるため衛生的である。
【０００９】
また、固形物の剥落は水中で行われるため、剥落したスケール等は貯水部の底部が沈殿、堆積され、剥落した固形物の空中への飛散および加湿フィルタに再付着することがない。
【発明の効果】
【００１０】
本発明加湿装置は、加湿フィルタの吸水および加湿性能を長期間に亘り維持することができる。
【図面の簡単な説明】
【００１１】
【図１】本発明の実施の形態１における温風機の外観を示す斜視図
【図２】図１におけるＡＡ断面図
【図３】図１におけるＢＢ断面図
【図４】本発明の実施の形態１における温風機の背面の外観を示す斜視図
【図５】本発明の実施の形態１における加湿トレーの斜視図
【図６】加湿トレーに加湿フィルタを装着した状態の斜視図
【図７】従来の加湿装置を示す断面図
【発明を実施するための形態】
【００１２】
第１の発明は、本体表面に開口された吸気口と吹出口とを連通する風路と、前記風路の途中に配置され空気を送風する送風機と、前記送風機で送風された空気を加熱するヒータと、前記ヒータで加熱された温風を加湿する略円筒形の加湿フィルタと、前記加湿フィルタを回動する回動手段と、前記加湿フィルタに給水させる水を貯水する貯水部と、前記貯水部に設置し、前記加湿フィルタと接触する接触部材とを含み、前記加湿フィルタの一部が前記貯水部に貯水した水中に水没し、前記加湿フィルタ全体に給水される構成とし、前記回動手段で前記加湿フィルタを回動することにより、前記加湿フィルタの少なくとも一部の表面と前記接触部材が水中で摺接する加湿装置である。
【００１３】
これよって、回動手段を運転することにより接触部材が加湿フィルタ表面をこするように動作することで、加湿フィルタの表面に付着したスケールや水垢などの固形物を貯水部中に剥落させることができ、加湿フィルタの吸水および加湿性能を長期間維持することができる。しかも使用者は直接フィルタに触れることなく加湿フィルタのメンテナンスができるため衛生的である。
【００１４】
また、固形物の剥落は水中で行われるため、剥落したスケール等は貯水部の底部が沈殿、堆積され、剥落した固形物の空中への飛散および加湿フィルタに再付着することがない。
【００１５】
第２の発明は、特に、第１の発明において、前記貯水部の水位を検知する水位センサと、表示手段とを備え、前記水位センサが所定の水位を検知できない場合、前記表示手段で表示することを特徴とするものである。
【００１６】
これにより、貯水部の水が少なく水位が低い場合は表示部で表示されるため、固形物の剥落動作が空中でなされることを抑制することが可能となり、剥落した固形物の空中への飛散および加湿フィルタへの再付着をより確実に抑制することができる。
【００１７】
第３の発明は、特に、第１または第２の発明において、前記水位センサで所定の水位を検知できない場合、前記回動手段の運転を開始しないものである。
【００１８】
これにより、駆動機構の運転は必ず所定の水位が確保された状態で行われるため、剥落した固形物の空中への飛散および加湿フィルタへの再付着を確実に防止することができる。
【００１９】
第４の発明は、特に、第１〜第３のいずれか１つの発明において、前記貯水部の底部に前記接触部材に沿って凹陥部を設けたものである。
【００２０】
これによって、接触部材によって、剥落されたスケールは凹部に堆積させることができ、堆積物の加湿フィルタへの再付着を抑制することができる。
【００２１】
第５の発明は、特に第１〜第４のいずれか１つの発明において、前記接触部材は前記貯水部の底部に立設し、前記接触部材の基部に開口を設けたものである。
【００２２】
これにより、貯水部において開口部を介して貯水の行き来があり、さらに落下したスケールで貯水部が分断されることなく水位を同じにすることが可能となる。
【００２３】
第６の発明は、第１〜５のいずれか１との加湿装置と、前記風路のヒータの下流側で分岐し、前記加湿フィルタを通過させずに吹出口に直接連通する温風風路と、前記温風風路の分岐点に、前記加湿フィルタ側および前記温風風路側のいずれか一方または両方に温風を選択的に送風するダンパと、前記ダンパの操作を行う操作手段を備え、前記、ダンパの操作により、温風と加湿温風と加湿空気の吹き出しが選択可能とした温風機である。
【００２４】
これにより、本発明の温風機は、１台で、加湿を伴わない温風と、加湿成分は少ないが適度に昇温された加湿温風と、加湿成分が多く温度の上昇が低い加湿空気とを、選択的に吹き出すことができ、使用範囲が広く使い勝手のよい温風機を提供することができる。
【００２５】
以下、本発明の実施の形態について、図面を参照しながら説明する。なお、本実施意の形態によって、本発明が限定されるものではない。
【００２６】
（実施の形態１）
図１は本実施の形態における温風機の外観を示す斜視図であり、図２は図１に示すＡＡ断面図を示し、図３は図１に示すＢＢ断面図を示し、図４は温風機の本体から加湿トレーを外した状態の背面を示す斜視図である。
【００２７】
＜１＞温風機の構成
図１に示すように、温風機１０の本体１１の上面には操作部１２が、背面には吸気口１３が、前面には吹出口１４が設けられており、図２に示すように本体１１内には吸気口１３から吹出口１４まで風路１５が連通している。風路１５には、吸気口１３に近い最も上
流側には送風機１６が配置されており吸気口１３から吸引した外気を風路１５に送風する。
【００２８】
送風機１６の下流にはヒータ１７が配置されている。ヒータ１７は全体で１２００Ｗの容量であるが、全体を２分割した構成であり、低容量の加熱を行うときは、その半分にのみに通電することで６００Ｗの容量で加熱することができる。
【００２９】
ヒータ１７の下流で風路１５は２本に分岐しており、一方は吹出口１４に直接連通する温風風路１８と、他方は加湿部１９を介して吹出口１４に連通する加湿風路２０が形成されている。
【００３０】
風路１５の分岐点にはダンパ２１が設置されており、ダンパ２１はタイミングモータとギアとクランク等で構成された駆動機構を備えており、ヒータ１７で加熱された温風を、温風風路１８と加湿風路２０のいずれか一方、または温風風路１８と加湿風路１９の両方に送風することを操作部１２の操作で選択的に切り替えることができる。
【００３１】
図２に示すようにダンパ２１が中立の位置Ｃの場合、温風は温風風路１８と加湿風路２０の両方に同時に送風され、ダンパ２１が加湿風路２０を閉じる位置Ｄに切り替えられた場合は、温風風路１８にのみ温風が送風され、ダンパ２１が温風風路１８を閉じる位置Ｅに切り替えられた場合は、加湿風路２０にのみ温風が送風される。
【００３２】
操作部には温風機１０の運転の開始と停止を行う「ＯＮ」、「ＯＦＦ」の運転スイッチ（図示せず）と、運転のモードを選択する選択スイッチ（図示せず）と、加湿フィルタのクリーニングの開始を操作するクリーニングスイッチ（図示せず）と、運転状態を表示する表示手段（図示せず）が設けられている。選択するモードにより温風に含まれる湿度と温度が異なっており、「温風」と「加湿温風」と「加湿」の３モードが設定されている。
【００３３】
なお、本実施の形態における温風機１０は、加湿風路２０とは別に温風風路１８を設けるとともに、風路を切り替えるダンパ２１と切り替え操作を行う選択スイッチとを設け、「温風」と「加湿温風」「加湿」が選択できる構成としたが、これに限るものではなく、例えば、風路は加湿風路２０のみとし、ダンパ２１および選択スイッチを設けない構成も可能であり、このように送風機１６による送風が全て加湿部１９に供給されるものを加湿装置と定義する。
【００３４】
＜２＞加湿部の構成
図５は本発明の実施の形態１における加湿トレーの斜視図を示し、図６は加湿トレーに加湿フィルタを装着した状態の斜視図を示すものである。
【００３５】
図２および図３に示すように、加湿部１９は、加湿に使用する水を貯溜する水タンク２２と、水タンク２２から流出した水を貯水する加湿トレー２３と、水を気化させる加湿フィルタ２４とを主構成部材として構成されている。
【００３６】
水タンク２２は半透明の樹脂材料で成型されており容量約３リットルのボトル形状であり、水タンク２２の蓋２２ａには、ばねの付勢力により自動的に閉止される閉止栓２２ｂが設けられており、水タンク２２が加湿トレー２３の所定位置にセットされた場合に閉止栓２２ｂが自動的に開放され、水タンク２２内の水が加湿トレー２３に供給される。水タンク２２は本体１１の上面に設けられたタンク蓋２５を開いて本体１１内に取り付けおよび取り出しを行うことができる。
【００３７】
加湿トレー２３は水タンク２２のからの水を受ける水受部２６と加湿フィルタ２４に供
給する水を貯水する貯水部２７で構成されている。水受部２６は略円形の凹陥形状であり、その中央には円形の突起部が形成されており、水タンク２２の閉止栓２２ｂが突起部に当接することにより、閉止栓２２ｂが開放される構成となっている。
【００３８】
貯水部２７は平面略長方形の箱状に形成されており、貯水部２７の底部には略全幅に亘って溝状の凹陥部２８が形成されている。そして溝の略中央には上方に向けて突起したリブ状の接触部材２９が一体に成型されている。また、リブ状の接触部材の基部には略長方形の開口２９ａが形成されている。また、貯水部の両側壁の略中央にはＵ字型の溝形状の軸受溝３０が形成されている。
【００３９】
加湿トレー２３の水受部２６と貯水部２７は連通溝３１で連通しており、水受部２６で水タンク２２より入水した水は連通溝３１を介して貯水部２７に供給され、一定の水位で維持される。
【００４０】
加湿フィルタ２４は樹脂材料で成型した略円筒形状のフィルタケース３２と、フィルタケース３２の外周に巻装したフィルタ材３３で構成されている。フィルタケース３２は網目状に形成されており、その内外が通風可能な構成となっており、その両端面から突出する回転軸３４が設けられている。一方の端面から突出した回転軸３４には受動ギア３５が設置されている。フィルタ材３３は樹脂繊維の不織布を円筒状に形成した吸水性能および耐熱性の優れたものであり、フィルタケース３２の外周面に密着固定されている。
【００４１】
図６に示すように、加湿フィルタ２４は加湿トレー２３の貯水部２７に設置することができ、加湿フィルタ２４の回転軸３４を軸受溝３０に上方から挿入することで所定の位置に設置することができる。その状態で回転軸３４の受動ギア３５は貯水部の外側に配置されている。
【００４２】
また、図２および図３に示すように、加湿フィルタ２４が貯水部２７の所定の位置に配置された状態で、加湿フィルタ２４と接触部材２９は貯水部２７に貯水した水中で当接している。加湿フィルタ２４と接触部材２９が当接した状態においても、接触部材２９の基部に設けた開口２９ａを介して水は移動することができるので、貯水部２７全体の水位は常に一定に保たれる。
【００４３】
図４に示すように、温風機１０の本体１１下部には加湿トレー２３を収容する収容スペース３６が形成されており、本体背面の開口より収容することができる。収容スペース３６の側面には駆動機構３７が設置されている。駆動機構３７はモータ（図示せず）と複数の減速ギア（図示せず）で構成されており、モータの回転は複数の減速ギアを介して回転速度を減速して駆動ギア３８に伝達される構成となっている。
【００４４】
駆動機構３７と、駆動ギア３８と、受動ギア３５と、回転軸３４とで回動手段を構成しており、加湿フィルタ２４は回動手段により回動される。
【００４５】
加湿トレー２３を本体１１に取り付けおよび取り外しを行う時は、受動ギア３５と駆動ギア３８が相互に回転しながら噛合および開放するようになっている。
【００４６】
加湿トレー２３を本体に取り付けた状態で、駆動機構３７を駆動させることにより、加湿フィルタ２４が回転し、加湿フィルタ２４は接触部材２９と摺接しながら回転する。
【００４７】
収容スペース３６の天面には水位センサ（図示せず）が設置されており、加湿トレー２３の貯水部２７に貯水した水の水位を検知することが可能となっている。水位センサは赤外線の送受信により水面までの距離を計測することにより水位を検知するものである。
【００４８】
＜３＞温風機の動作、作用
以上のように構成された温風機について、以下その動作、作用を説明する。
【００４９】
温風機１０を使用する場合、準備作業として、加湿フィルタ２４を貯水部２７の軸受溝３０にセットした状態の加湿トレー２３を、本体１１の収容スペース３６に収容し、水を充填した水タンク２２を本体１１上面のタンク蓋２５を開いて本体１１内に収容する。準備作業完了状態において、水タンク２２の水は加湿トレー２３の水受部２６に流出し、連通溝３１を介して貯水部２７に流入し、所定の水位に達したら停止する。この状態で加湿フィルタ２４の下側の約１／３は水没した状態になり、毛細管現象によりフィルタ材３３全体が吸水状態となる。
【００５０】
また、加湿フィルタ２４と接触部材２９の当接部は水没した状態となり、水位センサは貯水部２７に水が充填されていることを検知し、加湿を伴う運転が可能な状態となる。
【００５１】
温風機１０の運転を開始する場合、まず操作部１２の選択スイッチで「温風」、「加湿温風」、「加湿」のいずれかの運転モードを選択し、運転スイッチで「ＯＮ」の操作をすることによりの温風機１０の運転が開始される。
【００５２】
「温風」が選択されている場合、ダンパ２１は加湿風路２０を閉じる位置Ｄに停止し、温風は温風風路１８のみに供給され直接吹出口１４から吹き出す。この場合、ヒータ１７は１２００Ｗの容量で通電されるため、吹き出す温風は高温で乾燥した状態のものであり、このモードは短時間に部屋を暖房する場合や、乾燥を目的とした使用に適している。
【００５３】
「加湿温風」が選択されている場合、ダンパ２１は中立の位置Ｃに停止し、温風は温風風路１８と加湿風路２０の両方に送風され、温風風路１８を通過した高温で乾燥した温風と、加湿風路２０を通過し加湿部１９で加湿された加湿空気が吹出口１４の手前で混合され、適度に加湿され、しかも適度な温風が吹出口１４から吹き出す。
加湿風路２０に送風された温風は加湿フィルタ２４の表面からフィルタケース３２の内部に流入し、フィルタケース３２の内部から再び外部に流出することにより、吸水状態のフィルタ材３３を２度通過し、その間に加湿される。このモードの場合、ヒータ１７は１２００Ｗの容量で通電される。このモードは長時間に亘り部屋を快適に暖房する場合に最も適したモードである。
【００５４】
「加湿」が選択されている場合、ダンパ２１は温風風路１８を閉じる位置Ｅに停止し、温風は加湿風路２０にのみ供給され、加湿部１９で加湿された加湿空気のみが吹出口１４から吹き出す。この場合、ヒータ１７は６００Ｗの容量で通電され、供給された温風の熱は加湿における気化作用に多くが消費されるため吹き出す加湿空気の温度は他の設定の場合より大幅に低い温度である。このモードは部屋の温度をあまり変えずに加湿のみを行うことができ、植物や木製品の保存、またはエアコンディショナー等の他の暖房機器具や冷房器具と組み合わせて使用する場合に適している。
【００５５】
なお、「加湿温風」および「加湿」運転モードを選択した場合に、加湿トレー２３の貯水部２７の水位が規定値を満たしていない場合は、水位センサが検知し、操作部１２に設けた表示手段で加湿が行われない旨を表示する。
【００５６】
運転を停止する場合は、運転スイッチを「ＯＦＦ」操作することにより、温風機１０の運転が停止する。
【００５７】
運転停止の状態で、水タンク２２の水の補充や加湿フィルタ２４のメンテナンス等を実
施することができる。加湿フィルタ２４のメンテナンスは、操作部１２のクリーニングスイッチ（図示せず）を使用者が操作することにより開始される。この場合も、加湿を伴う運転と同様に、加湿トレー２３の貯水部２７の水位が規定値を満たしていない場合は、水位センサが検知し、操作部１２に設けた表示手段で表示する。
【００５８】
クリーニングスイッチを操作すると駆動機構３７が運転を開始し、駆動ギアと受動ギアを介して加湿フィルタ２４全体が回転する。この状態において、加湿フィルタ２４は接触部材２９と摺接しながら回転しているため、加湿フィルタ２４のフィルタ材３３の表面に付着しているスケールやごみなどは接触部材２９によって剥落され貯水部２７に落下して、貯水部２７の底部に設けた凹陥部２８の中に堆積する。駆動機構３７は所定時間運転した後自動的に停止する。
【００５９】
また、長期間使用した場合や、使用するシーズンが終了した場合は、加湿トレー２３を本体１１より取り外し、加湿フィルタ２４を貯水部２７から取り外して水洗いをすることによりフィルタ材の中に堆積したスケールやごみを取り除くとともに、貯水部２７の凹陥部２８に堆積した堆積物を廃棄することにより、温風機１０の性能を長期間に亘って維持することができる。
【００６０】
以上のように、本実施に形態の温風機１０は、加湿フィルタ２４と接触する接触部材２９を貯水部２７に備え、加湿フィルタ２４の回動軸３４に設けた受動ギア３５と、本体１１に設けた駆動機構３７により回転する駆動ギア３８とを噛合させ、駆動機構３７を駆動することにより、加湿フィルタ２４を回転させ、接触部材２９で加湿フィルタ２４の表面に付着したスケールやごみを剥落させることができるので、加湿フィルタ２４のメンテナンスは手を汚さずに簡単に実施することができる。
【００６１】
また、加湿フィルタ２４と接触部材２９を水中で当接し、貯水部２７に凹陥部２８を設け、接触部材２９の基部に開口２９ａを設けたことにより、加湿フィルタ２４から剥落したスケールやごみは凹陥部２８の中に蓄積されるため、剥落した固形物の空中への飛散および加湿フィルタ２４に再付着することを抑制することができるとともに、開口２９ａを介して貯水部２７の水が自由に移動できるため貯水部２７の水位を安定させることができる。
【００６２】
なお、本実施の形態においては、駆動機構３７の駆動は操作部１２設けたクリーニングスイッチを使用者が操作することにより実施される構成としたが、これに限るものではなく、例えば、運転スイッチを「ＯＦＦ」した直後に駆動機構が所定時間自動的に駆動される構成としてもよい。またこの場合、「加湿温風」および「加湿」の運転モードの運転終了後のみ、駆動機構を駆動してもよい。
【００６３】
また、本実施の形態においては、貯水部の水位が規定値を満たしていない場合は、水位センサが検知し、表示手段で表示する構成としたが、これに加えて、「加湿温風」、「加湿」、「クリーニング」の運転を実施しない構成とすることにより、固形物の剥落は必ず水中で実施されることとなり、剥落した固形物の空中への飛散および加湿フィルタへの再付着をより確実に抑制することができる。
【産業上の利用可能性】
【００６４】
以上のように、本発明に係る加湿装置は、加湿フィルタに付着したスケールの剥落が容易にでき、フィルタのメンテナンス性を向上させることができるので、フィルタを使用する送風機器等の用途にも適用できる。
【符号の説明】
【００６５】
１０  温風機
１１  本体
１２  操作部（操作手段）
１３  吸気口
１４  吹出口
１５  風路
１６  送風機
１７  ヒータ
１８  温風風路（風路）
２０  加湿風路（風路）
２１  ダンパ
２４  加湿フィルタ
２７  貯水部
２８  凹陥部
２９  接触部材
２９ａ  開口
３４  回転軸（回動手段）
３５  受動ギア（回動手段）
３７  駆動機構（回動手段）
３８  駆動ギア（回動手段）
【図７】
2012013347.tif 000003
【図１】
2012013347.tif 000004
【図２】
2012013347.tif 000005
【図３】
2012013347.tif 000006
【図４】
2012013347.tif 000007
【図５】
2012013347.tif 000008
【図６】
2012013347.tif 000009